(57)【要約】【課題】シャットダウン状態などの省電力状態から容易に復帰可能にする。【解決手段】本制御装置は、（Ａ）人力を補助する動力装置の駆動を制御する駆動制御装置と接続し、蓄電デバイスの充放電に係る電流が流れる第１の接続部と、（Ｂ）第１の接続部とは別に設けられ、蓄電デバイスに対する充電に係る電流が電気的接続により流れる第２の接続部と、（Ｃ）第２の接続部からの所定の電圧以上の充電電圧を検出すると省電力状態から復帰する、蓄電デバイスに対する制御部とを有する。【選択図】図４
2018139483.tif 000002
【特許請求の範囲】
【請求項１】
人力を補助する動力装置の駆動を制御する駆動制御装置と接続し、蓄電デバイスの充放電に係る電流が流れる第１の接続部と、
前記第１の接続部とは別に設けられ、前記蓄電デバイスに対する充電に係る電流が電気的接続により流れる第２の接続部と、
前記第２の接続部からの所定の電圧以上の充電電圧を検出すると省電力状態から復帰する、前記蓄電デバイスに対する制御部と、
を有する制御装置。
【請求項２】
人力を補助する動力装置の駆動を制御する駆動制御装置と接続し、蓄電デバイスの充放電に係る電流が流れる第１の接続部と、
前記第１の接続部とは別に設けられ、前記蓄電デバイスに対する充電に係る電流が電気的接続により流れる第２の接続部と、
前記第１の接続部からの第１の電圧以上の充電電圧を検出すると省電力状態から復帰し、前記第２の接続部からの、前記第１の電圧とは異なる第２の電圧以上の充電電圧を検出しても前記省電力状態から復帰する、前記蓄電デバイスに対する制御部と、
を有する制御装置。
【請求項３】
人力を補助する動力装置の駆動を制御する駆動制御装置と接続した場合には、蓄電デバイスの充放電に係る電流が流れ、商用電源に接続される充電器に接続された場合には、前記蓄電デバイスの充電に係る電流が流れる第１の接続部と、
前記第１の接続部とは別に設けられ、前記充電器以外の電力供給装置に接続された場合に、前記蓄電デバイスに対する充電に係る電流が電気的接続により流れる第２の接続部と、
前記第２の接続部からの所定の電圧以上の充電電圧を検出すると省電力状態から復帰する、前記蓄電デバイスに対する制御部と、
を有する制御装置。
【発明の詳細な説明】
【技術分野】
【０００１】
本発明は、バッテリなどの蓄電デバイスに対する制御装置、当該制御装置を含む蓄電装置、及び当該蓄電装置を含む移動体システムに関する。
【背景技術】
【０００２】
例えば電動アシスト自転車のバッテリパックは、一般的に電池の状態を監視し、過放電、過充電、過電流、過熱などの異常状態を検出すると適切に出力制限保護をかける電池状態監視機能を有する。この電池状態監視機能は、オートシャットダウン機能を備えている場合がある。すなわち、ある程度の未使用期間があると、バッテリパックの出力を遮断して電池状態の監視を停止するシャットダウン状態にするものである。これによって、長期にわたる未使用期間の間に、電池状態監視機能自体の自己消費による放電で電池が空になるまで放電され、再度使用する時に充電をある程度行わなければならないという事態を回避できるようになる。
【０００３】
このようなオートシャットダウン機能を備えることで、長期間未使用の状態で放置された場合においてもバッテリパックにはある程度の容量が残るため、シャットダウン状態から復帰させることで、長時間の充電を行うこと無しに、アシスト動力を使用した走行がある程度は可能となる。
【０００４】
一般的な電動アシスト自転車のバッテリパックは、このようなシャットダウン状態ではモータ等を起動できず、一度専用の充電器に接続してシャットダウン状態から復帰させる、という手順を要する。このため、ユーザは電池パックを電動アシスト自転車から取り外し、専用の充電器まで持ち運ぶことになる。専用の充電器は、商用電源に接続して用いるようになっているため、バッテリパックをシャットダウン状態から復帰させることができる場所は商用電源がある場所に限られる。
【０００５】
一方、ＵＳＢ（Universal Serial Bus）端子をさらに備えて携帯端末などの外部装置を充電できるようにした、電動アシスト自転車の電池パックも存在している。
【先行技術文献】
【特許文献】
【０００６】
【特許文献１】特開２００８−２８３７８６号公報
【特許文献２】特開２０１４−１８０２０８号公報
【発明の概要】
【発明が解決しようとする課題】
【０００７】
以上に鑑み、一側面によれば、本発明の目的は、シャットダウン状態などの省電力状態から容易に復帰可能にするための技術を提供することである。
【課題を解決するための手段】
【０００８】
本発明に係る制御装置は、（Ａ）人力を補助する動力装置の駆動を制御する駆動制御装置と接続し、蓄電デバイスの充放電に係る電流が流れる第１の接続部と、（Ｂ）第１の接続部とは別に設けられ、蓄電デバイスに対する充電に係る電流が電気的接続により流れる第２の接続部と、（Ｃ）第２の接続部からの所定の電圧以上の充電電圧を検出すると省電力状態から復帰する、蓄電デバイスに対する制御部とを有する。
【発明の効果】
【０００９】
一側面によれば、シャットダウン状態などの省電力状態から容易に復帰可能になる。
【図面の簡単な説明】
【００１０】
【図１】図１は、実施の形態に係る電動アシスト車の外観図である。
【図２】図２は、実施の形態に係るバッテリパックの外観図である。
【図３】図３（ａ）は、バッテリパックの底面図であり、図３（ｂ）は、充電器の外観図である。
【図４】図４は、実施の形態に係るバッテリパックの機能ブロック図である。
【図５】図５は、実施の形態に係るバッテリパックの状態遷移を示す図である。
【図６】図６は、実施の形態に係る状態遷移に関連して行われる処理を示すフロー図である。
【図７】図７は、実施の形態に係る状態遷移に関連して行われる処理を示すフロー図である。
【発明を実施するための形態】
【００１１】
以下、本発明の実施の形態について、電動アシスト自転車の例をもって説明する。しかしながら、本発明の実施の形態の適用対象は、電動アシスト自転車だけに限定されず、人力に応じて移動する移動体（例えば、台車、車いす、昇降機など）に対して当該移動体の移動を補助するモータなどの動力装置のための蓄電装置について適用可能である。なお、バッテリ等の蓄電装置は、移動体と一体化される場合もあれば、移動体とは別途設置される場合もある。
【００１２】
図１に、電動アシスト自転車の外観図を示す。電動アシスト自転車１は、モータ駆動制御装置１０２と、バッテリパック１０１と、トルクセンサ１０３と、ペダル回転センサ１０４と、モータ１０５と、操作パネル１０６と、太陽光発電機１０７と、ケーブル１０８とを有する。なお、電動アシスト自転車１は、フリーホイール及び変速機も有している。
【００１３】
バッテリパック１０１は、例えば、リチウムイオン二次電池、リチウムイオンポリマー二次電池、ニッケル水素蓄電池などを含み、モータ駆動制御装置１０２を介してモータ１０５に対して電力を供給し、回生時にはモータ駆動制御装置１０２を介してモータ１０５からの回生電力によって充電も行う。さらに、バッテリパック１０１には、新たに端子が設けられ、バッテリパック１０１は、当該端子に接続されたケーブル１０８を介して太陽光発電機１０７に接続される。なお、ここではバッテリパック１０１が太陽光発電機１０７に接続される例を示しているが、風力発電機その他のエナジーハーベストデバイスが接続されるようにしても良い。また、太陽光発電機１０７等の設置位置は荷台に限定されるものではなく、他の箇所に設置しても良いし、電動アシスト自転車１に設置せず、他の場所に設置されていてもよい。また、図１には示していないが、携帯電話機やスマートフォンなどの携帯端末を含む様々な外部装置に対して、バッテリパック１０１は、上記端子に接続されたケーブル１０８などを介して電力供給できるようにもなっている。
【００１４】
トルクセンサ１０３は、クランク軸に取付けられたホイールに設けられており、運転者によるペダルの踏力を検出し、この検出結果をモータ駆動制御装置１０２に出力する。また、ペダル回転センサ１０４は、トルクセンサ１０３と同様に、クランク軸に取付けられたホイールに設けられており、回転に応じたパルス信号をモータ駆動制御装置１０２に出力する。
【００１５】
モータ１０５は、例えば周知の三相ブラシレスモータであり、例えば電動アシスト自転車１の前輪に装着されている。モータ１０５は、前輪を回転させるとともに、前輪の回転に応じてローターが回転するように、ローターが前輪に直接又は減速器などを介して連結されている。さらに、モータ１０５はホール素子等の回転センサを備えてローターの回転情報（例えばホール信号）をモータ駆動制御装置１０２に出力する。
【００１６】
モータ駆動制御装置１０２は、モータ１０５の回転センサ、トルクセンサ１０３及びペダル回転センサ１０４等からの信号に基づき所定の演算を行って、モータ１０５の駆動を制御し、モータ１０５による回生の制御も行う。
【００１７】
操作パネル１０６は、例えばアシストの有無に関する指示入力、アシスト有りの場合には希望アシスト比等をユーザから受け付けて、当該指示入力等をモータ駆動制御装置１０２に出力する。また、操作パネル１０６は、モータ駆動制御装置１０２によって演算された結果である走行距離、走行時間、消費カロリー、回生電力量等のデータを表示する機能を有する場合もある。
【００１８】
以下、本実施の形態に係るバッテリパック１０１の構成について説明する。
【００１９】
図２に、本実施の形態に係るバッテリパック１０１の外観を示す。
【００２０】
バッテリパック１０１は、ケース１０１０に、充放電端子１０１１と、指示ボタン１０１２と、充電レベルを表示するためのＬＥＤ（Light Emitting Diode）群１０１３と、ＬＥＤ群１０１３を点灯させるように指示するためのボタン１０１４と、モータ駆動制御装置１０２との接続端子群を含む接続部１０１６とを有する。
【００２１】
ＬＥＤ群１０１３については、例えば、７５％以上１００％以下の充電レベルの場合には全ＬＥＤを点灯させ、５０％以上７５％未満の充電レベルの場合には下から３つのＬＥＤを点灯させ、２５％以上５０未満の充電レベルの場合には下から２つのＬＥＤを点灯させ、５％を超えて２５％未満の充電レベルの場合には下から１つのＬＥＤを点灯させ、５％以下の充電レベルの場合には１つもＬＥＤを点灯させない、といったルールに従って点灯させる。但し、これは一例であり、従来から行われているので、これ以上説明しない。
【００２２】
充放電端子１０１１は、ケーブル１０８との接続端子であり、例えばＵＳＢ（Universal Serial Bus）端子、Micro ＵＳＢ端子、Mini ＵＳＢ端子、ＵＳＢ−ＰＤ（Power Delivery）端子などであってもよい。さらに、ＰｏＥ（Power over Ether）のコネクタであっても良い。さらに、アウトレットであっても良い。その他、電力入力や電力出力が可能な規格におけるコネクタであっても良い。図２の例では、バッテリパック１０１の上部に配置しているが、使用態様に併せてどのような位置に配置しても良い。さらに、充放電端子ではなく、単なる充電端子であってもよい。充電端子と放電端子とを別途設けるようにしてもよい。
【００２３】
図２では示していないが、バッテリパック１０１の筐体表面に充放電端子１０１１を設ける場合には、防水用のキャップを充放電端子１０１１に付けるようにしても良い。また、雨などの影響を受けないように防水機能を備えるようにすることが好ましい。
【００２４】
また、指示ボタン１０１２を、ＬＥＤ群１０１３を点灯させるように指示するためのボタン１０１４が兼ねる場合もある。また、指示ボタン１０１２を設けずに、ケーブル１０８の端子挿入や充電電流又は放電電流などを検出して、自動的に充電又は放電を開始するようにしても良い。指示ボタン１０１２については本実施の形態の主旨ではないので以下説明を省略する。
【００２５】
接続部１０１６の底面は、例えば図３（ａ）に示すように、電圧印加用の端子１０１５ａ（例えば３６Ｖ）と、信号用の端子１０１５ｂと、接地用の端子１０１５ｃとを有する。信号用の端子の数は、より多いこともある。
【００２６】
これに併せて、バッテリパック１０１の充電器１２０は、図３（ｂ）に示すように、商用電源に接続するための差し込みプラグ１２０２と、バッテリパック１０１の端子１０１５ａと接触する電圧印加用の端子１２０１ａと、端子１０１５ｂと接触する信号用の端子１２０１ｂと、端子１０１５ｃと接触する接地用の端子１２０１ｃとを有する。このような充電器１２０は、従来と同じであり、これ以上説明しない。また、本実施の形態においては、モータ駆動制御装置１０２も、従来と同様に、充電器１２０と同様の端子を有している。
【００２７】
本実施の形態では、このような充電器１２０でバッテリパック１０１に対して充電を行っても良いし、充放電端子１０１１を介して、太陽光発電機１０７等で発電された電力にて充電を行うようにしても良い。
【００２８】
図４に、本実施の形態に係るバッテリパック１０１の機能ブロック構成例を示す。
【００２９】
本実施の形態に係るバッテリパック１０１は、モータ駆動制御装置用の端子群１０１５ａ乃至１０１５ｃと、充放電端子１０１１に含まれる端子１０１１ａ乃至１０１１ｄと、回路基板１１００と、電池セル１１５０とを有する。
【００３０】
端子１０１１ａは、例えば充電用（５Ｖ）の端子であり、端子１０１１ｂは、例えば放電（給電とも呼ぶ）用（５Ｖ）の端子であり、端子１０１１ｃは、例えば信号用の端子であり、端子１０１１ｄは、例えば接地用の端子である。
【００３１】
回路基板１１００は、電池パック制御基板又はＢＭＳ（Battery Management System）基板と呼ばれる基板であり、これを制御装置と呼ぶ場合もある。そして、回路基板１１００は、充電ＦＥＴ（Field Effect Transistor）１１１２と、放電ＦＥＴ１１１３と、充放電ＦＥＴ駆動部１１１４と、監視制御部１１１１と、抵抗１１１５と、電池セル温度検出素子１１１６と、ＦＥＴ温度検出素子１１１７と、電池セル監視部１１１８と、充放電端子用電源部１１１９と、制御用電源部１１２０と、ダイオード１１２１、ダイオード１１２２と、ＦＥＴ１１２３と、ダイオード１１２４とを有する。
【００３２】
充電ＦＥＴ１１１２は、例えばＭＯＳＦＥＴ（Metal-Oxide-Semiconductor Field-Effect Transistor）であり、そのソースが端子１０１５ａに接続され、ゲートが充放電ＦＥＴ駆動部１１１４に接続され、ドレインが放電ＦＥＴ１１１３であるＭＯＳＦＥＴのドレインに接続される。放電ＦＥＴ１１１３は、例えばＭＯＳＦＥＴであり、そのソースは電池セル１１５０の充放電用の端子に接続され、ドレインは充電ＦＥＴ１１１２のドレインに接続され、ゲートは充放電ＦＥＴ駆動部１１１４に接続される。
【００３３】
充放電ＦＥＴ駆動部１１１４は、監視制御部１１１１の指示に応じて充電ＦＥＴ１１１２及び放電ＦＥＴ１１１３を制御して、電池セル１１５０に対する充放電を開始又は停止する。より具体的には、電池セル１１５０へ過度な充電、電池セル１１５０からの過度の放電、異常温度時の充電又は放電が起きないように、電池セル監視部１１１８により検知された温度情報及び抵抗１１１５に流れる電流に関する電流情報、電池セル監視部１１１８により収集された各セルの電圧値といった監視制御部１１１１で収集された状態に応じて、充放電ＦＥＴ駆動部１１１４は、充電ＦＥＴ１１１２及び放電ＦＥＴ１１１３を制御する。
【００３４】
電池セル監視部１１１８は、電池セル温度検出素子１１１６に接続されており、電池セル１１５０の温度情報を取得する。監視制御部１１１１は、ＦＥＴ温度検出素子１１１７に接続されており、充電ＦＥＴ１１１２及び放電ＦＥＴ１１１３の温度情報を取得する。電池セル温度検出素子１１１６及びＦＥＴ温度検出素子１１１７は、例えばサーミスタであり、これによって電池セル１１５０、充電ＦＥＴ１１１２及び放電ＦＥＴ１１１３の各温度を検知する。これらの温度検出素子は、サーミスタに限らず、熱電対や赤外線検知などによるセンサでも良い。ＦＥＴ温度の検出は回路保護のため、また電池セル温度検出は電池セル保護のため、各温度が検出されることもある。電池セル温度検出素子１１１６及びＦＥＴ温度検出素子１１１７は、それぞれ例えば熱伝導率の高い熱伝導部材を介して検出対象である電池セル１１５０や充電ＦＥＴ１１１２及び放電ＦＥＴ１１１３に対して熱的に接触されている。
【００３５】
また、電池セル監視部１１１８は、電池セル１１５０中における各セルに接続されており、これらの電圧を検出する。具体的には、電池セル監視部１１１８は、直列接続された各セルの電圧を検出し、また直列接続されたセルの電圧バランスが崩れないように各々のセルに対し放電制御を行い電圧バランスを整える。さらに、電池セル監視部１１１８は、抵抗１１１５に接続されており、例えばモータ駆動制御装置１０２に係る充電及び放電電流を検知する。例えば、抵抗１１１５のように電流路に直接接続された抵抗の電圧降下の値から電流値を計算してもよい。電流の検知方法についてはこれに限定されるものではなく、ホールセンサといった種々の電流検知方法を用いても良い。
【００３６】
なお、充放電ＦＥＴ駆動部１１１４、電池セル監視部１１１８及び監視制御部１１１１は、一体化されている場合もあれば、これよりも多くの機能要素に分割されている場合もある。
【００３７】
充放電端子用電源部１１１９は、充放電端子１０１１に接続されており、電池セル１１５０の電圧を、充放電端子１０１１における給電用の端子１０１１ｂからの出力電圧に変換したり、充放電端子１０１１における充電用の端子１０１１ａに印加された電圧を電池セル１１５０への充電電圧に変換する。なお、充放電端子用電源部１１１９は、オペアンプ１１１９１と抵抗１１１９２とを含み、抵抗１１１９２に流れる電流に相当する信号をオペアンプ１１１９１で増幅した上で、監視制御部１１１１に出力するようになっている。これによって監視制御部１１１１は、充放電端子１０１１に流れる電流量を検知できるようになる。さらに、充放電端子用電源部１１１９は、信号用の端子１０１１ｃにも接続されており、充放電端子１０１１に接続される外部装置とネゴシエーションなどを行う場合もある。
【００３８】
ダイオード１１２１のアノードは、充放電端子１０１１の充電用の端子１０１１ａに接続されており、ダイオード１１２１のカソードは、制御用電源部１１２０に接続されている。ダイオード１１２２のアノードは、端子群１０１５における電圧印加用の端子１０１５ａに接続されており、ダイオード１１２２のカソードは、制御用電源部１１２０に接続されている。
【００３９】
また、ダイオード１１２４のアノードは、電池セル１１５０の充放電用の端子に接続されており、ダイオード１１２４のカソードは、ＦＥＴ１１２３のソースに接続されている。ＦＥＴ１１２３は、電池セル１１５０から監視制御部１１１１等への電力供給をオン又はオフするためのＭＯＳＦＥＴであり、そのゲートは監視制御部１１１１に接続されており、そのドレインは制御用電源部１１２０に接続されている。
【００４０】
制御用電源部１１２０は、電池セル監視部１１１８、充放電ＦＥＴ駆動部１１１４及び監視制御部１１１１等に対して電力供給を行う。また、制御用電源部１１２０は、入力判断部１１２０１と、制御用電源回路１１２０２とを有する。入力判断部１１２０１は、ダイオード１１２１又は１１２２を介して印加される充電電圧が、制御用電源回路１１２０２及び電池セル監視部１１１８を動作させるのに十分な所定電圧以上であるか否かを判断して、所定電圧以上であれば、制御用電源回路１１２０２に電力供給を開始させる。すなわち、制御用電源回路１１２０２は、充電電圧を所定電圧に変換して、電池セル監視部１１１８及び監視制御部１１１１等に変換後の電圧を出力する。一方、充電電圧が所定電圧未満にあれば、入力判断部１１２０１は、制御用電源回路１１２０２を動作させることなく、待機する。
【００４１】
なお、ダイオード１１２４を介して電池セル１１５０から電力供給を受けるようになると、制御用電源回路１１２０２は、電池セル監視部１１１８、監視制御部１１１１及び充放電ＦＥＴ駆動部１１１４などに、所定電圧に変換した後、出力する。
【００４２】
監視制御部１１１１は、充放電端子１０１１の充電用の端子１０１１ａと、端子群１０１５における電圧印加用の端子１０１５ａ及び信号用の端子１０１５ｂと、充放電端子用電源部１１１９と、ＦＥＴ１１２３のゲートと、充放電ＦＥＴ駆動部１１１４と、ＦＥＴ温度検出素子１１１７と、制御用電源部１１２０と、電池セル監視部１１１８とに接続されている。
【００４３】
監視制御部１１１１は、電池セル監視部１１１８等から取得した情報と使用履歴などから、電池残量、劣化状態などを算出し、例えば端子１０１５ｂ等を介してモータ駆動制御装置１０２に伝達する。さらに、監視制御部１１１１は、電池セル監視部１１１８等から取得した情報をモータ駆動制御装置１０２に伝達し、モータ駆動制御装置１０２は、受信した情報に基づき電池セル１１５０が異常を引き起こすような状態にならないように、適切に、バッテリパック１０１に対する充放電に係る制御を行う。
【００４４】
また、監視制御部１１１１は、オペアンプ１１１９１からの出力などに基づき、充放電端子１０１１を介した充電及び放電が適切ではない場合には、充放電端子用電源部１１１９の動作を停止させる場合もある。
【００４５】
さらに、監視制御部１１１１は、動作を停止しているため省電力状態であるシャットダウンモードにおいて、制御用電源回路１１２０２から電力供給が開始されると、起動する。そして、監視制御部１１１１は、端子群１０１５の端子１０１５ａから電圧が印加されているのか、充放電端子１０１１における充電用の端子１０１１ａから電圧が印加されているのかを判断すると共に、電池セル１１５０を充電可能な所定の電圧以上であるか否かを判断する。電池セル１１５０を充電可能な所定の電圧以上の電圧が印加されている場合には、監視制御部１１１１は、シャットダウンモードから復帰して、ＦＥＴ１１２３をオンにさせる。そうすると、電池セル１１５０から電力供給が、電池セル監視部１１１８、監視制御部１１１１及び充放電ＦＥＴ駆動部１１１４等に行われるようになる。さらに、監視制御部１１１１は、充放電ＦＥＴ駆動部１１１４に、充電ＦＥＴ１１１２及び放電ＦＥＴ１１１３もオンにさせる。
【００４６】
なお、監視制御部１１１１は、例えばマイクロプロセッサ及びメモリなどの記憶領域を有しており、プログラムを実行することで実装される場合がある。そして、監視制御部１１１１は、この記憶領域に、端子１０１５ａから充電を行っているのか、端子１０１１ａから充電を行っているのかの別を記憶しておき、シャットダウンモードへ遷移するタイミングを制御する。監視制御部１１１１（又は入力判断部１１２０１）は、タイマを有しており、記憶領域に記憶されている充電元に基づきタイマで時間を計測する。
【００４７】
本実施の形態では、ダイオード１１２１及び１１２２と入力判断部１１２０１とを含む待機回路は、シャットダウンモードでも起動したままで待機しており、端子１０１１ａ又は端子１０１５ａから充電電圧が印加されたか否かを検出する。待機回路以外の回路部分は、シャットダウンモードになると動作を停止して、省電力が図られる。
【００４８】
本実施の形態におけるバッテリパック１０１の状態遷移を図５を用いて説明する。
【００４９】
本実施の形態における状態には、過電流保護モードと、温度異常保護モードと、過放電保護モードと、過充電保護モードと、シャットダウンモードと、通常モードとが含まれる。これらの状態の種類は、従来と同じであり、状態間の状態遷移の種類も、従来と同じである。従来と異なるのは、通常モードからシャットダウンモードへの状態遷移の発生条件と、シャットダウンモードから通常モードへの状態遷移の発生条件とである。
【００５０】
過電流保護モードは、故障を回避するために過大な放電電流又は充電電流を検出した場合（例えば放電電流３０Ａ以上又は充電電流２０Ａ以上）に通常モードから遷移するモードであり、充電ＦＥＴ１１１２及び放電ＦＥＴ１１１３が共にオフに設定される。過電流保護モードに遷移して電流が停止した後１０秒経過すると、過電流保護モードから通常モードに遷移して、充電ＦＥＴ１１１２及び放電ＦＥＴ１１１３が共にオンに設定される。
【００５１】
温度異常保護モードは、故障を回避するために電池セル１１５０又は充電ＦＥＴ１１１２及び放電ＦＥＴ１１１３の温度が異常な温度である場合（例えば検出温度−２０℃以下又は８０℃以上、又は０℃以下で充電電流検出）に、通常モードから遷移するモードであり、充電ＦＥＴ１１１２及び放電ＦＥＴ１１１３が共にオフに設定される。温度異常保護モードに遷移した後、例えば検出温度−２０℃以上且つ８０℃以下且つ電池セル１１５０全体の出力電圧５Ｖ以下になると、温度異常保護モードから通常モードに遷移して、充電ＦＥＴ１１１２及び放電ＦＥＴ１１１３が共にオンに設定される。
【００５２】
過放電保護モードは、電池セル１１５０の劣化を回避する等のために過放電状態が検出された場合（例えば電池セル１１５０の全セルのセル電圧のうち最小値が２．８Ｖ以下）に、通常モードから過放電保護モードに遷移して、放電ＦＥＴ１１１３がオフに設定される。過放電保護モードに遷移した後、例えば電池セル１１５０の全セルのセル電圧のうち最小値が３．０Ｖ以上となれば、過放電保護モードから通常モードに遷移して、放電ＦＥＴ１１１３がオンに設定される。
【００５３】
過放電保護モードにおいて、さらに放電が進むと（例えば電池セル１１５０の全セルのセル電圧のうち最小値が２．５Ｖ以下）、過放電保護モードからシャットダウンモードに遷移して、充電ＦＥＴ１１１２もオフに設定される。
【００５４】
過充電保護モードは、電池セル１１５０の劣化を回避する等のために過充電状態が検出された場合（例えば電池セル１１５０の全セルのセル電圧のうち最大値が４．４Ｖ以上）に、通常モードから過充電保護モードに遷移して、充電ＦＥＴ１１１２がオフに設定される。過充電保護モードに遷移した後、例えば電池セル１１５０の全セルのセル電圧のうち最大値が４．２Ｖ以下になると、過充電保護モードから通常モードに遷移して、充電ＦＥＴ１１１２がオンに設定される。
【００５５】
本実施の形態では、前回充電が専用の充電器１２０から行われた場合には２週間充放電が無く且つＳＯＣ（State of Charge：電池残量又は充電レベルに相当）が３０％以下であるという第１の条件、前回充電が充放電端子１０１１から行われた場合には１週間充放電が無く且つＳＯＣが３０％以下であるという第２の条件、又は１００日以上充放電無しという第３の条件のいずれかを満たした場合には、通常モードからシャットダウンモードに遷移して、充電ＦＥＴ１１１２及び放電ＦＥＴ１１１３がオフに設定される。さらに、ＦＥＴ１１２３がオフにされるので、制御用電源回路１１２０２から監視制御部１１１１、電池セル監視部１１１８及び充放電ＦＥＴ駆動部１１１４等に対する電力供給が停止され、省電力状態となる。
【００５６】
上でも述べたように、シャットダウンモードに遷移することで、長期にわたる未使用期間の間に、監視制御部１１１１、電池セル監視部１１１８及び充放電ＦＥＴ駆動部１１１４等の自己消費による放電で電池が空になるまで放電され、再度使用する時に充電をある程度要することになることを防止できるようになる。
【００５７】
また、前回専用の充電器１２０から充電された場合に比して、前回太陽光発電機１０７等から充電された場合に、シャットダウンモードに遷移する時間を短くする。例えば、電池１１５０の容量が２００Ｗｈとして、専用の充電器１２０で１００Ｗで充電したとすると空の状態から２時間程度で満充電に至る。一方、充放電端子１０１１に接続された太陽光発電機１０７等は数ワット程度の充電能力しかない場合もあり、そのような場合には空の状態からの充電では非常に長い時間がかかるため、ユーザが満充電になる前に途中で充電を止めることが予想される。このため、早期にシャットダウンモードに遷移させることで、自己消費の電力を抑えて、放置後の再使用の時により多くの電力が残り、長時間の充電を介さずにある程度の給電が可能となる。
【００５８】
一方、シャットダウンモードにおいて、モータ駆動制御装置１０２用の端子群１０１５における端子１０１５ａの電圧が、電池セル電圧合計値を上回っているという第１の電圧条件、又は充放電端子１０１１における端子１０１１ａの電圧が所定電圧（例えば４Ｖ以上）であるという第２の電圧条件が満たされた場合に、シャットダウンモードから通常モードへ遷移して、充電ＦＥＴ１１１２及び放電ＦＥＴ１１１３がオンに設定される。
【００５９】
このようにＵＳＢ端子などの充放電端子１０１１を設けることで、第２の電圧条件を満たすことができるようになるため、ユーザは簡単にバッテリパック１０１をシャットダウンモードから復帰させることができるようになる。
【００６０】
上で述べた状態間の遷移条件は一例であって、他の条件を採用する場合もある。
【００６１】
次に、本実施の形態に特有である、通常モードからシャットダウンモードへの遷移、シャットダウンモードから通常モードへの遷移等に関する動作について、図６及び図７を用いて説明する。
【００６２】
監視制御部１１１１は、端子群１０１５における端子１０１５ａの電圧及び充放電端子１０１１における端子１０１１ａの電圧など（例えば電池セル監視部１１１８から通知される電池セル１１５０の出力電圧等も用いる場合がある）から、充電器が接続されているか否かを判断する（図６：ステップＳ１）。充電器が接続されている場合には、状態遷移は行われず、通常モードのままとなる。
【００６３】
一方、充電器が接続されていない場合には、監視制御部１１１１は、電池セル監視部１１１８から通知されるセル電圧のうち最小値が２．５Ｖ以下であるか否かを判断する（ステップＳ３）。このような条件が満たされる場合には、シャットダウンモードへ遷移することになるので、監視制御部１１１１は、充放電ＦＥＴ駆動部１１１４に対して、充電ＦＥＴ１１１２及び放電ＦＥＴ１１１３をオフにさせる（ステップＳ１５）。さらに、監視制御部１１１１は、電池セル１１５０から監視制御部１１１１等への電力供給を停止させるために、ＦＥＴ１１２３をオフにする（ステップＳ１７）。そして、処理は端子Ａを介して図７の処理に移行する。
【００６４】
一方、セル電圧最小値が２．５Ｖ以下ではない場合には、監視制御部１１１１は、前回の充電が専用の充電器１２０から行われたか否かを判断する（ステップＳ５）。充電元については、専用の充電器１２０又は充放電端子１０１１に接続された充電器であるので、いずれであるかが、例えば監視制御部１１１１における記憶領域に記憶されている。
【００６５】
前回の充電が専用の充電器１２０から行われた場合には、監視制御部１１１１は、充放電無しの期間が２週間以上経過したか否かを判断する（ステップＳ７）。充電完了時又は放電完了時には、例えば監視制御部１１１１におけるタイマが計測を開始するので、この時点において当該タイマの値で判断する。充放電の有無については、例えば電池セル監視部１１１８が検出する電流の有無等により判断する。充放電無しの期間が２週間未満であれば、処理はステップＳ１に戻る。
【００６６】
一方、充放電無しの期間が２週間以上である場合には、監視制御部１１１１は、電池セル監視部１１１８からの情報に基づき、電池残量（ＳＯＣ）が３０％以下であるか否かを判断する（ステップＳ９）。監視制御部１１１１は、電池セル監視部１１１８等から得られる電池セル１１５０への充電電流合算値、放電電流合算値、充放電の温度条件、各セルの電圧、監視制御部１１１１等の自己消費電流や電池セル１１５０自体のリーク電流と経過時間などから総合して電池残量を推定する。電池残量３０％以下である場合には、処理はステップＳ１５に移行して、シャットダウンモードへ遷移する。
【００６７】
一方、電池残量３０％を超えている場合には、監視制御部１１１１は、充放電無しの期間が１００日以上となっているか否かを判断する（ステップＳ１３）。充放電無しの期間が１００日未満であれば、シャットダウンモードへの遷移は行われないので、処理はステップＳ１に戻る。また、充放電無しの期間が１００日以上であれば、処理はステップＳ１５に移行して、シャットダウンモードへ遷移する。
【００６８】
このように、図５を用いて説明した、通常モードからシャットダウンモードへの遷移についての第１の条件、又は第３の条件が満たされているか否かが判断されたことになる。
【００６９】
これに対して、前回の充電が専用の充電器１２０から行われたものではない場合には、本実施の形態では、前回の充電が充放電端子１０１１に接続された充電器から行われたことになるので、監視制御部１１１１は、充放電無しの期間が１週間以上であるか否かを判断する（ステップＳ１１）。上で述べたような理由で、短時間でも未使用であればシャットダウンモードへ遷移するようにする。充放電無しの期間が１週間未満であれば、処理はステップＳ１に戻る。一方、充放電無しの期間が１週間以上であれば、処理はステップＳ９に移行する。ステップＳ９の条件が満たされる場合には、シャットダウンモードへ遷移するため、ステップＳ１５に移行する。
【００７０】
このように、図５を用いて説明した、通常モードからシャットダウンモードへの遷移についての第２の条件が満たされているか否かが判断されたことになる。
【００７１】
端子Ａを介して図７の処理の説明に移行して、シャットダウンモードでも起動している入力判断部１１２０１は、ダイオード１１２１又は１１２２を介して、端子群１０１５における端子１０１５ａ又は充放電端子１０１１における端子１０１１ａに所定電圧以上の入力があったか否かを判断する（ステップＳ１９）。この所定電圧は、制御用電源回路１１２０２を動作させることができる所定の電圧である。この条件が満たされない場合には、入力判断部１１２０１は、この条件が満たされるまで起動したまま待機する。
【００７２】
一方、ステップＳ１９の条件が満たされた場合には、入力判断部１１２０１は、制御用電源回路１１２０２を起動させる。そうすると、制御用電源回路１１２０２から監視制御部１１１１及び電池セル監視部１１１８へ電力供給が行われて、それらは起動される。なお、この状態はまだ通常モードに遷移したわけではなく、電池セル１１５０からの電力供給は行われておらず、放電も充電も行われていない。
【００７３】
そして、起動した監視制御部１１１１は、端子群１０１５における端子１０１５ａに接続されているラインにおいて電圧印加を検出するか否かと充放電端子１０１１における端子１０１１ａに接続されているラインにおいて電圧印加を検出するか否かの少なくともいずれかに基づき、専用の充電器１２０がバッテリパック１０１に接続されたか否かを判断する（ステップＳ２１）。
【００７４】
専用の充電器１２０が接続されている場合には、監視制御部１１１１は、第１の電圧条件を満たしているか否かを判断する（ステップＳ２３）。具体的には、図５で説明したように、端子群１０１５のおける端子１０１５ａの電圧が電池セル電圧合計値を上回っているという条件が満たされているか否かを判断する。電池セル電圧合計値は、電池セル監視部１１１８からの情報に基づき算出する。
【００７５】
第１の電圧条件が満たされない場合には、第１の電圧条件が満たされるまで待機することになる。但し、電力供給がなされなくなれば、停止してステップＳ１９に戻る。
【００７６】
一方、第１の電圧条件が満たされた場合には、監視制御部１１１１は、記憶領域に充電元を記憶するか、タイマに充電元に対応する計測期間（２週間又は１週間）を設定する（ステップＳ２７）。これによって、次回シャットダウンモードへの遷移を適切に行うことができるようになる。
【００７７】
さらに、監視制御部１１１１は、電力供給用のＦＥＴ１１２３をオンにして、電池セル１１５０から電力供給を開始させる（ステップＳ２９）。さらに、監視制御部１１１１は、充放電ＦＥＴ駆動部１１１４に、充電ＦＥＴ１１１２及び放電ＦＥＴ１１１３をオンにさせる（ステップＳ３１）。そうすることで、シャットダウンモードから通常モードへの復帰がなされたことになる。
【００７８】
通常モードであるから、充電は、充放電端子１０１１における端子１０１１ａ又は端子群１０１５の端子１０１５ａから行われ、さらに、放電は、充放電端子１０１１における端子１０１１ｂ又は端子群１０１５の端子１０１５ａへ行われる（ステップＳ３２）。
【００７９】
そして処理が終了しない限り、処理は端子Ｂを介して図６のステップＳ１に戻る（ステップＳ３３：Ｎｏルート）。一方、何らかの理由で処理を終了させることになった場合には、処理を終了する（ステップＳ３３：Ｙｅｓルート）。
【００８０】
ステップＳ２１で、専用の充電器１２０が接続されたわけではないと判断された場合には、本実施の形態では充放電端子１０１１における端子１０１１ａに電圧印加があったことになる。それ以外の状態が存在する場合には、処理はステップＳ１９に戻る。
【００８１】
充放電端子１０１１における端子１０１１ａに電圧印加があった場合には、監視制御部１１１１は、第２の電圧条件が満たされたか否かを判断する（ステップＳ２５）。具体的には、図５で説明したように、充放電端子１０１１における端子１０１１ａに４Ｖ以上の電圧印加があったか否かを判断する。
【００８２】
第２の電圧条件が満たされていない場合には、第２の電圧条件が満たされるまで待機することになる。但し、電力供給が無くなれば、ステップＳ１９に戻る。
【００８３】
一方、第２の電圧条件が満たされた場合には、処理はステップＳ２７に移行して、シャットダウンモードから通常モードへの復帰がなされたことになる。
【００８４】
以上のような処理を行うことで、充放電端子１０１１における端子１０１１ａから充電を行うことで、専用の充電器１２０を用いることなく、簡単にシャットダウンモードからの復帰が可能となる。
【００８５】
以上本発明の実施の形態を説明したが、本発明はこれに限定されるものではない。例えば、上記の機能を実現するための回路構成や実装方法は様々な方法を採用できる。
【００８６】
なお、バッテリパック１０１といったケースを有する形で実装する場合には端子はコネクタとして実装されるが、バッテリパック１０１内部の回路基板１１００から見ると、回路基板１１００にはコネクタが設けられておらず、コネクタに接続されるケーブルとの接続部が設けられている場合もある。逆に、回路基板１１００にコネクタが設けられている場合もある。従って、これらの両ケースを併せて接続部と呼ぶ場合もある。
【００８７】
さらに、上で述べた実施の形態では、電池セルが含まれている例を示したが、キャパシタなどの蓄電デバイスを用いるような形に変更しても良い。その場合には、キャパシタの特性に合わせて充電及び放電を制御する。
【００８８】
また、上で述べた実施の形態では、ＵＳＢ端子のように電極同士が接触するような接続について説明したが、電磁誘導その他の手法により非接触にて電流を流すような場合には非接触ではあるが電気的に接続するような接続手法を採用するようにしても良い。
【００８９】
以上述べた実施の形態をまとめると、以下のようになる。
【００９０】
本実施の形態に係る制御装置は、（Ａ）人力を補助する動力装置の駆動を制御する駆動制御装置と接続し、蓄電デバイスの充放電に係る電流が流れる第１の接続部と、（Ｂ）第１の接続部とは別に設けられ、蓄電デバイスに対する充電に係る電流が電気的接続により流れる第２の接続部と、（Ｃ）第２の接続部からの所定の電圧以上の充電電圧を検出すると省電力状態から復帰する、蓄電デバイスに対する制御部とを有する。
【００９１】
このように第１の接続部及び第２の接続部を有するような制御装置は、第１の接続部による充電だけではなく、第２の接続部からの所定の電圧以上の充電電圧を検出すると省電力状態から復帰するので、ユーザは、容易に省電力状態からの復帰を行わせることができるようになる。
【００９２】
なお、上で述べた制御部は、蓄電デバイスに対する充放電が所定期間以上行われないという条件を含む所定の条件を満たす場合に省電力状態に遷移するようにしてもよい。この場合、省電力状態に遷移する前に第１の接続部からの充電電流にて充電を行った場合に比して、省電力状態に遷移する前に第２の接続部からの充電電流にて充電を行った場合に、上で述べた所定期間が短くなる場合もある。第２の接続部からの充電が少ないことが想定される場合には、このようにすることで早期に省電力状態に移行して、制御部などによる電力消費を抑制できるようになる。
【００９３】
さらに、上で述べた所定の条件が、蓄電デバイスの状態に関する条件を含むようにしてもよい。例えば、推定蓄電残量が所定レベル以下になったり、蓄電デバイスの出力電圧若しくは蓄電デバイスが複数のセルにて構成される場合には複数のセルのいずれかのセルの出力電圧が所定電圧以下になったりするような条件である。
【００９４】
また、上で述べた制御部は、省電力状態から復帰すると、蓄電デバイスから第１の接続部への放電が可能なように制御するようにしてもよい。例えば、電動アシスト自転車であれば、すぐさま走行可能になる。
【００９５】
さらに、上で述べた制御装置は、（Ｄ）第１の接続部とは別に設けられ、蓄電デバイスからの放電に係る電流が電気的接続により流れる第３の接続部をさらに有するようにしてもよい。このような場合、上で述べた制御部は、省電力状態から復帰した後、蓄電デバイスから第１の接続部又は第３の接続部への放電を行うようにしてもよい。第１の接続部だけではなく、第３の接続部への放電も行うことができれば、携帯端末などの外部装置の充電などが可能となり、ユーザの利便性が高まる。
【００９６】
なお、上で述べたような制御装置と蓄電デバイスが一体となった蓄電装置が構成される場合もあれば、さらに駆動制御装置と動力装置とが一体となった移動体システムが構成される場合もある。
【００９７】
このような構成は、実施の形態に述べられた事項に限定されるものではなく、実質的に同一の効果を奏する他の構成にて実施される場合もある。
【符号の説明】
【００９８】
１１００  回路基板
１１１１  監視制御部
１１１９  充放電端子用電源部
１１１４  充放電ＦＥＴ駆動部
１１２０  制御用電源部
１１２０１  入力判断部
１１２０２  制御用電源回路
１１１８  電池セル監視部
１１５０  電池セル
【図１】
2018139483.tif 000003
【図２】
2018139483.tif 000004
【図３】
2018139483.tif 000005
【図４】
2018139483.tif 000006
【図５】
2018139483.tif 000007
【図６】
2018139483.tif 000008
【図７】
2018139483.tif 000009